(57)【要約】      （修正有）【課題】メンテナンス性を確保しつつ、蓄電池の劣化進行を抑制することができる蓄電池制御装置、制御方法およびプログラムを提供する。【解決手段】オペレーションシステム１０は、商用電力の使用削減の要請であるＤＲ指令が入力されると共に、複数の蓄電池に対して行われる放電試験に関する情報を記憶する記憶部２０から放電試験に関する情報を取得し、放電試験に関する情報およびＤＲ指令に基づいて放電試験を実施する蓄電池を選択する選択部１１と、選択された蓄電池に対して、放電試験を行う制御信号を出力する指令部１２と、を有する。【選択図】図２
2019009889.tif 000002
【特許請求の範囲】
【請求項１】
商用電力の使用削減の要請であるＤＲ指令が入力されると共に、複数の蓄電池に対して行われる放電試験に関する情報を記憶する記憶部から前記放電試験に関する情報を取得し、前記放電試験に関する情報および前記ＤＲ指令に基づいて前記放電試験を実施する蓄電池を選択する選択部と、
選択された前記蓄電池に対して、前記放電試験を行う制御信号を出力する指令部と、
が設けられていることを特徴とする蓄電池制御装置。
【請求項２】
前記記憶部に記憶される前記放電試験に関する情報には、前記蓄電池に対して前記放電試験を行う予定日時の情報である予定日時情報が含まれ、
前記選択部に入力される前記ＤＲ指令には、前記商用電力の使用削減を行う日時の情報である削減日時情報が含まれ、
前記選択部は、前記削減日時情報および前記予定日時情報に基づいて、前記放電試験を行う予定日時が、前記商用電力の使用削減を行う日時から所定範囲内に含まれる前記蓄電池を選択することを特徴とする請求項１記載の蓄電池制御装置。
【請求項３】
前記記憶部に記憶される前記放電試験に関する情報には、前記蓄電池に対して行われた前記放電試験の日時の情報である実施日時情報と、前記放電試験を実施する間隔の情報である実施間隔情報と、が含まれ、
前記選択部に入力される前記ＤＲ指令には、前記商用電力の使用削減を行う日時の情報である削減日時情報が含まれ、
前記選択部は、前記実施日時用法および前記実施間隔情報に基づいて、前記複数の蓄電池に対して前記放電試験を行う日時である予定実施日時を求め、求められた前記予定日時情報および前記削減日時情報に基づいて、前記予定実施日時が、前記商用電力の使用削減を行う日時から所定範囲内に含まれる前記蓄電池を選択することを特徴とする請求項１記載の蓄電池制御装置。
【請求項４】
前記記憶部に記憶される前記放電試験に関する情報には、前記蓄電池が配置される位置の情報である電池位置情報が含まれ、
前記選択部に入力される前記ＤＲ指令には、前記商用電力の使用削減を行う地域の情報である削減地域情報が含まれ、
前記選択部は、前記電池位置情報および前記削減地域情報に基づいて、前記蓄電池が配置される位置が、前記商用電力の使用削減を行う地域に含まれる前記蓄電池を選択することを特徴とする請求項１から３のいずれか１項に記載の蓄電池制御装置。
【請求項５】
前記記憶部に記憶される前記放電試験に関する情報には、前記放電試験において前記蓄電池から放電される電力量の情報である放電情報が含まれ、
前記選択部に入力される前記ＤＲ指令には、前記商用電力における使用の削減量の情報である削減量情報が含まれ、
前記選択部は、前記放電情報および前記削減量情報に基づいて、選択した前記蓄電池から放電される電力量の合計が、前記商用電力における使用の削減量以上となるように前記蓄電池の選択を行うことを特徴とする請求項１から４のいずれか１項に記載の蓄電池制御装置。
【請求項６】
前記記憶部に記憶される前記放電試験に関する情報には、前記蓄電池の劣化に関する情報である劣化情報が含まれ、
前記選択部は、前記劣化情報に基づいて前記蓄電池を選択することを特徴とする請求項１から６のいずれか１項に記載の蓄電池制御装置。
【請求項７】
商用電力の使用削減の要請であるＤＲ指令が入力される入力ステップと、
複数の蓄電池に対して行われる放電試験に関する情報を記憶する記憶部から前記放電試験に関する情報を取得する取得ステップと、
入力された前記ＤＲ指令に対応して前記放電試験を実施する蓄電池を選択する選択ステップと、
選択された前記蓄電池に対して、前記放電試験を行う制御信号を出力する出力ステップと、
を有することを特徴とする蓄電池の制御方法。
【請求項８】
コンピュータに対して、
商用電力の使用削減の要請であるＤＲ指令が入力される入力機能と、
複数の蓄電池に対して行われる放電試験に関する情報を記憶する記憶部から前記放電試験に関する情報を取得する取得機能と、
入力された前記ＤＲ指令に対応して前記放電試験を実施する蓄電池を選択する選択機能と、
選択された前記蓄電池に対して、前記放電試験を行う制御信号を出力する出力機能と、
を実現させることを特徴とするプログラム。
【発明の詳細な説明】
【技術分野】
【０００１】
本発明は、蓄電池の放電制御に適用して好適な蓄電池制御装置、制御方法およびプログラムに関する。
【背景技術】
【０００２】
従来、電力事業者から消費電力削減の要請であるデマンドレスポンス指令（以下「ＤＲ指令」とも表記する。）を受け取った際に、備えつけられた蓄電池に充電された電力を使用することで消費電力の削減を図る技術が知られている（例えば、特許文献１参照。）。
【先行技術文献】
【特許文献】
【０００３】
【特許文献１】特開平８−２８９４７０号公報
【発明の概要】
【発明が解決しようとする課題】
【０００４】
しかしながら、ＤＲ指令に対応するために蓄電池を設けると、初期費用が嵩みコストが高くなっていた。また、蓄電池は定期的に放電試験などのメンテナンス作業が行われている。しかしながら、充放電の回数が増加すると蓄電池の劣化が進行するため、充放電の回数が増加することは好ましくないという問題があった。
【０００５】
本発明は、上記の課題を解決するためになされたものであって、メンテナンス性を確保しつつ、蓄電池の劣化進行を抑制することができる蓄電池制御装置、制御方法およびプログラムを提供することを目的とする。
【課題を解決するための手段】
【０００６】
上記目的を達成するために、本発明は、以下の手段を提供する。
本発明の第１の実施形態に係る蓄電池制御装置は、商用電力の使用削減の要請であるＤＲ指令が入力されると共に、複数の蓄電池に対して行われる放電試験に関する情報を記憶する記憶部から前記放電試験に関する情報を取得し、前記放電試験に関する情報および前記ＤＲ指令に基づいて前記放電試験を実施する蓄電池を選択する選択部と、選択された前記蓄電池に対して、前記放電試験を行う制御信号を出力する指令部と、が設けられていることを特徴とする。
【０００７】
本発明の第２の実施形態に係る蓄電池の制御方法は、商用電力の使用削減の要請であるＤＲ指令が入力される入力ステップと、複数の蓄電池に対して行われる放電試験に関する情報を記憶する記憶部から前記放電試験に関する情報を取得する取得ステップと、入力された前記ＤＲ指令に対応して前記放電試験を実施する蓄電池を選択する選択ステップと、選択された前記蓄電池に対して、前記放電試験を行う制御信号を出力する出力ステップと、を有することを特徴とする。
【０００８】
本発明の第３の実施形態に係るプログラムは、コンピュータに対して、電力事業者から商用電力の使用削減の要請であるＤＲ指令が入力される入力機能と、複数の蓄電池に対して行われる放電試験に関する情報を記憶する記憶部から前記放電試験に関する情報を取得する取得機能と、入力された前記ＤＲ指令に対応して前記放電試験を実施する蓄電池を選択する選択機能と、選択された前記蓄電池に対して、前記放電試験を行う制御信号を出力する出力機能と、を実現させることを特徴とする。
【０００９】
本発明の第１の態様に係る蓄電池制御装置、第２の態様に係る蓄電池の制御方法、および第３の態様に係るプログラムによれば、放電試験に関する情報およびＤＲ指令に基づいて放電試験を実施する蓄電池を選択するため、ＤＲ指令に基づく蓄電池からの放電として放電試験による放電を行うことができる。言い換えると、商用電力の使用削減を補うために放電を行う蓄電池として、放電試験として放電を行う蓄電池を選択することができる。そのため、蓄電池のメンテナンスとして行う放電試験の回数を確保しつつ、蓄電池における充放電の回数増加を抑制することができる。
【００１０】
上記発明の第１の実施形態において前記記憶部に記憶される前記放電試験に関する情報には、前記蓄電池に対して前記放電試験を行う予定日時の情報である予定日時情報が含まれ、前記選択部に入力される前記ＤＲ指令には、前記商用電力の使用削減を行う日時の情報である削減日時情報が含まれ、前記選択部は、前記削減日時情報および前記予定日時情報に基づいて、前記放電試験を行う予定日時が、前記商用電力の使用削減を行う日時から所定範囲内に含まれる前記蓄電池を選択することが好ましい。
【００１１】
このように削減日時情報および予定日時情報に基づいて蓄電池を選択することにより、ＤＲ指令に基づく蓄電池からの放電として放電試験を行う場合における放電試験の日時の変更幅を所定範囲に収めることができる。そのため、放電試験を行う間隔が短くなること、言い換えると、蓄電池における充放電の回数が増加することを抑制しやすくなる。
【００１２】
上記発明の第１の実施形態において前記記憶部に記憶される前記放電試験に関する情報には、前記蓄電池に対して行われた前記放電試験の日時の情報である実施日時情報と、前記放電試験を実施する間隔の情報である実施間隔情報と、が含まれ、前記選択部に入力される前記ＤＲ指令には、前記商用電力の使用削減を行う日時の情報である削減日時情報が含まれ、前記選択部は、前記実施日時用法および前記実施間隔情報に基づいて、前記複数の蓄電池に対して前記放電試験を行う日時である予定実施日時を求め、求められた前記予定日時情報および前記削減日時情報に基づいて、前記予定実施日時が、前記商用電力の使用削減を行う日時から所定範囲内に含まれる前記蓄電池を選択することが好ましい。
【００１３】
このように実施日時情報、実施間隔情報、および、削減日時情報に基づいて蓄電池を選択することにより、ＤＲ指令に基づく蓄電池からの放電として放電試験を行う場合における放電試験の日時の変更幅を所定範囲に収めることができる。そのため、放電試験を行う間隔が短くなること、言い換えると、蓄電池における充放電の回数が増加することを抑制しやすくなる。
【００１４】
上記発明の第１の実施形態において前記記憶部に記憶される前記放電試験に関する情報には、前記蓄電池が配置される位置の情報である電池位置情報が含まれ、前記選択部に入力される前記ＤＲ指令には、前記商用電力の使用削減を行う地域の情報である削減地域情報が含まれ、前記選択部は、前記電池位置情報および前記削減地域情報に基づいて、前記蓄電池が配置される位置が、前記商用電力の使用削減を行う地域に含まれる前記蓄電池を選択することが好ましい。
【００１５】
このように電池位置情報および削減地域情報に基づいて蓄電池を選択することにより、ＤＲ指令に基づいて商用電力の使用削減を行う地域に配置されている蓄電池を選択することができる。そのため、商用電力の使用削減を行う地域から離れた位置に配置された蓄電池が選択された場合と比較して、削減された商用電力を補いやすくなる。
【００１６】
上記発明の第１の実施形態において前記記憶部に記憶される前記放電試験に関する情報には、前記放電試験において前記蓄電池から放電される電力量の情報である放電情報が含まれ、前記選択部に入力される前記ＤＲ指令には、前記商用電力における使用の削減量の情報である削減量情報が含まれ、前記選択部は、前記放電情報および前記削減量情報に基づいて、選択した前記蓄電池から放電される電力量の合計が、前記商用電力における使用の削減量以上となるように前記蓄電池の選択を行うことが好ましい。
【００１７】
このように放電情報および削減量情報に基づいて蓄電池を選択することにより、蓄電池から放電された電力を用いてＤＲ指令に基づいて削減された商用電力を補いやすくなる。つまり、放電試験によって放電される電力によって、商用電力の削減量を少なくとも満たすように蓄電池を選択することができる。なお、選択される蓄電池は１つであってもよいし、複数であってもよい。
【００１８】
上記発明の第１の実施形態において前記記憶部に記憶される前記放電試験に関する情報には、前記蓄電池の劣化に関する情報である劣化情報が含まれ、前記選択部は、前記劣化情報に基づいて前記蓄電池を選択することが好ましい。
【００１９】
このように劣化情報に基づいて蓄電池を選択することにより、蓄電池における劣化の進み方を制御しやすくなる。蓄電池を選択する方法としては、複数の蓄電池の劣化の程度が均一になるように選択する方法を例示することができる。また、劣化情報としては、蓄電池の製造時期や、充放電回数などを例示することができる。
【発明の効果】
【００２０】
本発明の蓄電池制御装置、制御方法およびプログラムによれば、放電試験に関する情報およびＤＲ指令に基づいて放電試験を実施する蓄電池を選択するため、メンテナンス性を確保しつつ、蓄電池の劣化進行を抑制することができるという効果を奏する。
【図面の簡単な説明】
【００２１】
【図１】本発明の第１の形態に係る蓄電池制御システムの構成を説明するブロック図である。
【図２】図２のオペレーションシステムの構成を説明するブロック図である。
【図３】太陽光発電設備を除く他の発電施設で発電される発電量の一日の時間変化を示すグラフである。
【図４】図１の蓄電池制御システムにおける制御の概要を説明する図である。
【図５】図１のオペレーションシステムにおける制御の内容を説明するフローチャートである。
【図６】図１のオペレーションシステムにおける蓄電池を選択する制御の内容を説明するフローチャートである。
【図７】本発明の第２の形態に係るオペレーションシステムにおける蓄電池を選択する制御の内容を説明するフローチャートである。
【発明を実施するための形態】
【００２２】
〔第１の実施形態〕
以下、本発明の第１の実施形態に係るオペレーションシステム（蓄電池制御装置）１０を含む蓄電池制御システム１について図１から図６を参照しながら説明する。本実施形態の蓄電池制御システム１は、図１に示すように、アグリゲータ６に備えられたサーバなどの情報処理機器から入力される商用電力の使用量の削減要請であるＤＲ（デマンドレスポンス）指令に基づいて蓄電池７２の放電制御を行うものである。
【００２３】
なお、アグリゲータ６に備えられた情報処理機器は、商用電力を供給する電力事業者５に備えられたサーバなどの情報処理機器から商用電力の使用量の削減要請を受けるものであり、アグリゲータ６の情報処理機器は、電力事業者５から要請された電力使用の削減量に基づいて、アグリゲータ６の配下にあるオペレーションセンタ２を含む複数の需要家に対してＤＲ指令を出力するものである。
【００２４】
アグリゲータ６とオペレーションセンタ２のオペレーションシステム１０との間は、通信ネットワーク９Ａを介して情報通信可能に接続されている。また、電力事業者５とアグリゲータ６のとの間も通信ネットワーク９Ｂを介して情報通信可能に接続されている。
【００２５】
本実施形態では、通信ネットワーク９Ａと、通信ネットワーク９Ｂとが別である例に適用して説明しているが、通信ネットワーク９Ａ、および通信ネットワーク９Ｂが同じものであってもよい。また、通信ネットワーク９Ａ、および通信ネットワーク９Ｂとしては、公知の通信ネットワークを用いることができ、その種類を限定するものではない。
【００２６】
蓄電池制御システム１は、オペレーションセンタ２に配置されたオペレーションシステム１０およびメンテナンスデータベース（記憶部）２０（以下「メンテナンスＤＢ２０」とも表記する。）と、施設７に配置された制御部７１および蓄電池７２と、から主に構成されている。本実施形態では、オペレーションセンタ２の配下に３つの施設７が配置されている例に適用して説明しているが、配下に配置される施設７の数は、３つよりも少なくてもよいし、３つよりも多くてもよい。
【００２７】
オペレーションシステム１０は、アグリゲータ６から入力されたＤＲ指令に基づいて、放電試験を行う蓄電池７２を選択するとともに、選択した蓄電池７２における放電試験を行う日時を制御するものである。オペレーションシステム１０は、図２に示すように、ＣＰＵ（中央演算処理ユニット）、ＲＯＭ、ＲＡＭ、入出力インタフェース等を有するサーバやコンピュータなどの情報処理機器である。上述のＲＯＭ等の記憶手段に記憶されているプログラムは、ＣＰＵ、ＲＯＭ、ＲＡＭ、入出力インタフェースを協働させて選択部１１、指令部１２、入出力部１３、記憶部１４として機能させるものである。
【００２８】
選択部１１は、記憶部１４またはメンテナンスＤＢ２０に記憶されている放電試験に関する情報、および、アグリゲータ６から入力されるＤＲ指令に基づいて、放電試験を実施する蓄電池７２を選択するものである。蓄電池７２を選択する演算処理の詳細については後述する。
【００２９】
指令部１２は、選択部１１において選択された蓄電池７２に対応する制御部７１に対して、放電試験を行う制御信号を生成する処理を行うものである。指令部１２は、さらに生成された制御信号を、入出力部１３を介して選択された蓄電池７２に対応する制御部７１へ出力する処理を行うものでもある。
【００３０】
入出力部１３は、アグリゲータ６、メンテナンスＤＢ２０および制御部７１との間で情報通信可能に接続されるものである。また、オペレーションシステム１０内の選択部１１、指令部１２、入出力部１３および記憶部１４との間でも情報通信可能とされたものである。
【００３１】
記憶部１４は、選択部１１における蓄電池７２の選択をする演算処理に用いられる放電試験に関する情報が、少なくとも記憶されるものである。本実施形態では、選択部１１において蓄電池７２を選択する演算処理を行う都度、メンテナンスＤＢ２０から放電に関する情報を取得して記憶部１４に記憶させる例に適用して説明するが、記憶部１４およびメンテナンスＤＢ２０の両者に放電試験に関する情報を記憶しておき、記憶部１４に記憶された放電試験に関する情報を用いて蓄電池７２を選択する演算処理を行ってもよいし、メンテナンスＤＢ２０を備えずに、記憶部１４のみを用いて記憶部１４に記憶された放電試験に関する情報を用いて蓄電池７２を選択する演算処理を行ってもよい。
【００３２】
メンテナンスＤＢ２０は、蓄電池７２に紐付けされた蓄電池７２の放電試験に関する情報が記憶されるものである。放電試験に関する情報には、紐付けされた蓄電池７２に対して放電試験を行う予定日時の情報である予定日時情報と、放電試験において紐付けされた蓄電池７２から放電される電力量の情報である放電情報と、が少なくとも含まれている。メンテナンスＤＢ２０は、定期的にオペレーションシステム１０と通信を行い、放電試験に関する情報や、蓄電池７２に関する情報を取得して記憶する。言い換えると、バックアップを行う。
【００３３】
予定日時情報は、蓄電池７２の放電試験の規定で定められている内容に従って蓄電池７２が配置されている施設７の管理者が設定することができるものである。本実施形態では、次回の放電試験の実施予定日が、前回の放電試験を行った日から所定期間（例えば６カ月）以内の日であって施設７の管理者が設定した日である例に適用して説明する。管理者により設定された予定日情報は、オペレーションシステム１０と情報通信可能に接続されたコンピュータ等の情報処理機器に入力され、オペレーションシステム１０の記憶部１４や、メンテナンスＤＢ２０に記憶される。
【００３４】
放電情報は、蓄電池７２の放電試験の規定で定められている放電される電力量である。放電される電力量は、放電試験の規定が改訂等により変更された場合には、当該変更に従って変更されるものであり、その数値を特に限定するものではない。
【００３５】
施設７は、商用電力から電力の供給を受ける需要設備が配置されていると共に、蓄電池７２および制御部７１が配置されるものである。本実施形態では、施設７が需要設備として通信施設が配置されたもの、更に具体的には電話局である例に適用して説明する。
【００３６】
制御部７１は、蓄電池７２の充電および放電を制御するものであり、蓄電池７２に対して放電試験を行うものである。さらに、オペレーションシステム１０から入力されるＤＲ指令に基づいて、放電試験を行う日時を制御するものでもある。なお、制御部７１としては、公知の蓄電池７２を制御するものを用いることができ、内部の回路構成や、充電および放電の制御方法などを特に限定するものではない。
【００３７】
蓄電池７２は、商用電力から供給された電力を充電し、停電など商用電力からの電力供給が停止した際に需要設備に電力を供給するものである。蓄電池７２における充電および放電は、制御部７１により制御される。蓄電池７２としては、公知の充電および放電が可能な電池を用いることができ、電池の種類などを特に限定するものではない。なお、図１では、模式的に施設７に１つの蓄電池７２が配置されている状態を示しているが、実際には電力を供給する需要設備が要求する電力量などの条件に応じて配置される蓄電池７２の数が設定される。
【００３８】
次に、上記の構成からなる蓄電池制御システム１における蓄電池７２のＤＲ指令に基づく放電試験の制御について説明する。まず、図３および図４を参照しながら、ＤＲ指令が出力される状況、および、蓄電池制御システム１における制御の概略を説明する。
【００３９】
近年、再生可能エネルギの活用の一環として太陽光発電設備の導入が進められている。太陽光発電設備は太陽光を電力に変換するという原理上の制約があるため、発電可能な時間帯が昼間に限定される。その他の時間帯である夜間は、火力発電所や水力発電所など他の発電施設で発電された電力を供給する必要がある。
【００４０】
太陽光発電設備の導入数が増加すると、以下に説明する問題が発生することが明らかになりつつある。図３は、上述の他の発電施設で発電される発電量の一日の時間変化を示すグラフである。日が昇る前の午前７時ごろまでは、太陽光発電設備での発電はできないため、他の発電設備で発電が行われている。
【００４１】
午前７時ごろを過ぎて日が昇ると、太陽光発電設備での発電が始まりその発電量が正午頃まで増加する。これに伴い、他の発電設備における発電量は減少する。午後になると太陽光発電設備での発電量は減少し始め、日が沈む午後６時頃には太陽光発電設備では発電ができなくなる。
【００４２】
その一方で、午後６時頃から午後９時頃にかけては、家庭での電力使用量が増加する時間帯でもあり、電力需要が増加する時間帯でもある。つまり、この時間帯では、他の発電設備は、太陽光発電設備の発電量の減少を補うために発電量を増加させると共に、電力需要の増加に対応して発電量を増加させる必要がある。
【００４３】
しかしながら、午後６時頃から午後９時頃の短い時間帯に発電量を急激に増加させるには、多大な発電設備が必要となるため、費用と時間がかかり困難である。そこで、電力事業者５は、電力の需要家に対してこの時間帯における電力の使用量の削減を要請することにより対応する動きがある。
【００４４】
上記の状況に基づいて電力事業者５は、図４に示すように、電力事業者５に備えられたサーバなどの情報処理機器から商用電力の使用量の削減要請であるＤＲ指令をアグリゲータ６に備えられたサーバなどの情報処理機器に出力する（Ｓ１０）。ＤＲ指令を受け取ったアグリゲータ６の情報処理機器は、オペレーションセンタ２のオペレーションシステム１０へＤＲ指令を出力する（Ｓ１５）。
【００４５】
アグリゲータ６の情報処理機器は、電力事業者５の情報処理機器から要請された商用電力の使用量の削減量を、アグリゲータ６からＤＲ指令を出力可能なオペレーションセンタ２の数および受け入れ可能な削減量に基づいて配分してオペレーションシステム１０へＤＲ指令を出力する。
ＤＲ指令が入力されたオペレーションシステム１０は、メンテナンスＤＢ２０に予定日時情報および放電情報を含む放電試験に関する情報を出力させる情報要求信号を出力する（Ｓ２０）。情報要求信号が入力されたメンテナンスＤＢ２０は、要求された放電試験に関する情報をオペレーションシステム１０へ出力する（Ｓ２５）。
【００４６】
放電試験に関する情報を取得したオペレーションシステム１０は、ＤＲ指令に応じて放電試験を行う蓄電池７２を選択する。蓄電池７２が選択されるとオペレーションシステム１０は、ＤＲ指令に反応することをアグリゲータ６にリポートする（Ｓ３０）とともに、選択した蓄電池７２に向けて放電を指示する放電指示信号を対応する制御部７１へ出力する（Ｓ３５）。なお、オペレーションシステム１０における放電試験を行う蓄電池７２を選択する演算処理の詳細については後述する。
【００４７】
放電指示信号が入力された制御部７１は、放電指示信号により指示された放電試験の開始タイミングに基づいて、放電試験を実行する制御を行う。放電試験の制御は、制御部７１に予め記憶されたプログラム等に基づいて行われる。放電試験が終了すると、制御部７１は、オペレーションシステム１０へ放電試験が終了したことを示す放電報告信号を出力する（Ｓ４０）。
【００４８】
放電報告信号が入力されたオペレーションシステム１０は、ＤＲ指令に反応したことをアグリゲータ６の情報処理機器にリポートし（Ｓ４５）、リポートを受けたアグリゲータ６の情報処理機器は、電力事業者５の情報処理機器にＤＲ指令に反応したことをリポートする（Ｓ５０）。
【００４９】
電力事業者５の上方処理機器は、ＤＲ指令に反応したことによる報酬であるインセンティブを提供することを示すインセンティブ信号を、ＤＲ指令に反応したアグリゲータ６の情報処理機器へ出力する（Ｓ５５）。インセンティブ信号が入力されたアグリゲータ６の情報処理機器は、ＤＲ指令に反応したオペレーションシステム１０にインセンティブ信号を出力する（Ｓ６０）。
【００５０】
次に、オペレーションセンタ２のオペレーションシステム１０における放電試験を行う蓄電池７２を選択する演算処理について、図５および図６を参照しながら説明する。
オペレーションシステム１０の入出力部１３にアグリゲータ６の情報処理機器からＤＲ指令が入力される（Ｓ１１０：入力ステップ）。オペレーションセンタ２に入力されるＤＲ指令には、商用電力使用削減を行う日時の情報である削減日時情報と、商用電力における使用の削減量の情報である削減量情報と、が少なくとも含まれる。
【００５１】
その一方でオペレーションシステム１０の選択部１１は、メンテナンスＤＢ２０に記憶されている予定日時情報および放電情報を含む放電試験に関する情報を取得する処理を行う（Ｓ１２０：取得ステップ）。具体的には、メンテナンスＤＢ２０に放電試験に関する情報を出力させる情報要求信号を生成する処理を行う。その後、入出力部１３を介して生成した情報要求信号をメンテナンスＤＢ２０へ出力する処理を行う。情報要求信号に応じてメンテナンスＤＢ２０から出力された放電試験に関する情報を、入出力部１３を介して取得する処理を行う。
【００５２】
ＤＲ指令および放電情報を含む放電試験を取得した選択部１１は、ＤＲ指令および放電情報を含む放電試験に基づいて放電試験を行う蓄電池７２を選択する処理を行う（Ｓ１３０：選択ステップ）。蓄電池７２を選択する処理では、図６に示すように、予め定められた所定範囲内に含まれる蓄電池７２を選択する処理が行われる（Ｓ１３１）。
【００５３】
具体的には、ＤＲ指令に含まれる削減日時情報および放電試験に関する情報に含まれる予定日時情報に基づき、商用電力使用削減が行われる日時を基準とした所定範囲内に、放電試験の実施予定日が含まれる蓄電池７２を選択する処理が行われる。
【００５４】
蓄電池７２の選択が行われると選択部１１は、選択した蓄電池７２が放電試験において放電する電力量である放電量の合計を算出する処理を行う（Ｓ１３２）。具体的には、選択された蓄電池７２に紐付けされた放電試験に関する情報に含まれる放電情報に基づいて、放電量の合計を算出する処理を行う。
【００５５】
放電量の合計が算出されると選択部１１は、放電量がＤＲ指令に基づく商用電力における使用の削減量以上であるか否かを判定する処理を行う（Ｓ１３３）。具体的には、ＤＲ指令に含まれる削減量情報に基づいて、算出された放電量が、ＤＲ指令に基づく削減量以上であるか否かを判定する。
【００５６】
算出された放電量が、ＤＲ指令に基づく削減量未満であると判定された場合（Ｓ１３３におけるＮＯ）には、選択部１１は蓄電池７２の選択において用いた所定範囲を変更する処理を行う（Ｓ１３４）。具体的には、選択される蓄電池７２の数を増やすために、範囲が広い所定範囲に変更する処理を行う。その後Ｓ１３１に戻り、上述の処理を繰り返し行う。
【００５７】
算出された放電量が、ＤＲ指令に基づく削減量以上であると判定された場合（Ｓ１３３におけるＹＥＳ）には、図５に戻り、指令部１２による放電指示信号を出力する処理が行われる（Ｓ１４０：出力ステップ）。具体的には、選択部１１により選択された蓄電池７２を特定する情報が、選択部１１から指令部１２に入力される。指令部１２は、ＤＲ指令に含まれる削減日時情報に基づいて、商用電力使用削減が行われる日時に放電試験を行う制御信号である放電指示信号を生成し、選択された蓄電池７２を制御する制御部７１へ生成した放電指示信号を入出力部１３を介して出力する制御を行う。
【００５８】
Ｓ１４０において出力される放電指示信号が、図４のＳ３５において出力される放電指示信号である。例えば、ＤＲ指令に基づく商用電力使用削減が行われる日時として、午後６時頃から午後９時頃の時間帯を設定することにより、当該時間帯に、蓄電池７２の放電試験を行うことが可能となる。そのため、火力発電所や水力発電所等の太陽光発電設備以外の他の発電設備が、当該時間帯に対応する必要のある発電量の増加量を抑制することが可能となる。
【００５９】
上記の構成の蓄電池制御システム１におけるオペレーションシステム１０によれば、放電試験に関する情報およびＤＲ指令に基づいて放電試験を実施する蓄電池７２を選択するため、ＤＲ指令に基づく蓄電池７２からの放電として放電試験による放電を行うことができる。言い換えると、商用電力の使用削減を補うために放電を行う蓄電池７２として、放電試験として放電を行う蓄電池７２を選択することができる。そのため、蓄電池７２のメンテナンスとして行う放電試験の回数を確保しつつ、蓄電池における充放電の回数増加を抑制することができる。
【００６０】
削減日時情報および予定日時情報に基づいて蓄電池７２を選択することにより、ＤＲ指令に基づく蓄電池７２からの放電として放電試験を行う場合における放電試験の日時の変更幅を所定範囲に収めることができる。そのため、放電試験を行う間隔が短くなること、言い換えると、蓄電池７２における充放電の回数が増加することを抑制しやすくなる。
【００６１】
放電情報および削減量情報に基づいて蓄電池７２を選択することにより、蓄電池７２から放電された電力を用いてＤＲ指令に基づいて削減された商用電力を補いやすくなる。つまり、放電試験によって放電される電力によって、商用電力の削減量を少なくとも満たすように蓄電池７２を選択することができる。なお、選択される蓄電池７２は１つであってもよいし、複数であってもよい。
【００６２】
なお、上述の実施形態では、蓄電池７２に紐付けされた放電試験に関する情報に、紐付けされた蓄電池７２に対して放電試験を行う予定日時の情報である予定日時情報が含まれる例に適用して説明したが、予定日時情報の代わりに、紐付けされた蓄電池７２に対して行われた放電試験の日時の情報である実施日時情報と、放電試験を実施する間隔の情報である実施間隔情報とが含まれていてもよい。
【００６３】
この場合、選択部１１は、実施日時情報および実施間隔情報に基づいて、放電試験を行う予定日時である予定日時情報を算出する。その後選択部１１は、算出した予定日時情報に基づいて蓄電池７２を選択する処理を行う。
【００６４】
また、蓄電池７２に紐付けされた放電試験に関する情報に、紐付けされた蓄電池７２の劣化に関する情報である劣化情報が含まれていてもよい。劣化に関する情報としては、蓄電池７２の製造時期や、充放電回数などを例示することができる。
【００６５】
この場合、選択部１１は、Ｓ１３０の蓄電池７２を選択する処理において、さらに劣化情報を用いて蓄電池７２を選択する処理を行う。例えば、Ｓ１３３の判定処理において放電量が削減量以上と判定された場合であって、選択された蓄電池７２の数が多すぎるときには、劣化情報に基づいて劣化の程度が高い蓄電池７２を選択から外す処理が行われる。
【００６６】
このように劣化情報に基づいて蓄電池７２を選択することにより、蓄電池７２における劣化の進み方を制御しやすくなる。具体的には、複数の蓄電池７２の劣化の程度が均一になるように選択することができる。
【００６７】
〔第２の実施形態〕
次に、本発明の第２の実施形態係るオペレーションシステム１０について図７を参照しながら説明する。本実施形態のオペレーションシステム１０の基本構成は、第１の実施形態と同様であるが、第１の実施形態とは、蓄電池を選択する際の処理の内容が異なっている。よって、本実施形態においては、図７を用いて蓄電池を選択する際の処理の内容のみを説明し、蓄電池制御システム１の構成や、処理内容等の説明を省略する。
【００６８】
本実施形態のオペレーションシステム１０における放電試験を行う蓄電池７２を選択する演算処理のうち、Ｓ１１０およびＳ１２０における演算処理は第１の実施形態と同じであるためその説明を省略する。
【００６９】
本実施形態の特徴である放電試験を行う蓄電池７２を選択する処理では、図７に示すように、削減地域に含まれる蓄電池７２を選択する処理が行われる（Ｓ２３１）。具体的には、ＤＲ指令に含まれる商用電力の使用削減を行う地域の情報である削減地域情報と、放電試験に関する情報に含まれる蓄電池７２が配置される位置の情報である電池位置情報とに基づいて、商用電力の使用削減を行う地域に配置されている蓄電池７２を選択する処理が行われる。
【００７０】
その後、Ｓ２３１により選択された蓄電池７２に対して、Ｓ１３１で行う蓄電池７２を選択する処理、Ｓ１３２で行う放電量の合計を算出する処理、Ｓ１３３で行う放電量と削減量とを比較する処理、Ｓ１３４で行う所定範囲を変更する処理などが行われる。これら処理で行われる内容は、第１の実施形態で行われる処理の内容と同様であるので、その説明を省略する。
【００７１】
上記の構成によれば、電池位置情報および削減地域情報に基づいて蓄電池７２を選択することにより、ＤＲ指令に基づいて商用電力の使用削減を行う地域に配置されている蓄電池７２を選択することができる。そのため、商用電力の使用削減を行う地域から離れた位置に配置された蓄電池７２が選択された場合と比較して、削減された商用電力を補いやすくなる。
【００７２】
なお、本発明の技術範囲は上記実施形態に限定されるものではなく、本発明の趣旨を逸脱しない範囲において種々の変更を加えることが可能である。例えば、本発明を上記の実施形態に適用したものに限られることなく、これらの実施形態を適宜組み合わせた実施形態に適用してもよく、特に限定するものではない。
【符号の説明】
【００７３】
１０…オペレーションシステム（蓄電池制御装置）、１１…選択部、１２…指令部、１４…記憶部、２０…メンテナンスデータベース（記憶部）、７２…蓄電池、Ｓ１１０…入力ステップ、Ｓ１２０…取得ステップ、Ｓ１３０…選択ステップ、Ｓ１４０…出力ステップ
【図１】
2019009889.tif 000003
【図２】
2019009889.tif 000004
【図３】
2019009889.tif 000005
【図４】
2019009889.tif 000006
【図５】
2019009889.tif 000007
【図６】
2019009889.tif 000008
【図７】
2019009889.tif 000009